(57)【要約】【課題】ユーザの意図しないページ番号の付与を防止する。【解決手段】情報処理装置は、印刷ジョブの入力を受け付けるジョブ入稿部と、前記印刷ジョブに含まれる原稿に対してページ番号を付与するページ番号付与部と、前記ページ番号が付与された前記原稿をページ毎に印刷前に表示するプレビュー制御部と、前記原稿のページ単位で、前記ページ番号を付与するか否かの指示、及び前記ページ番号の位置の指示の少なくとも一方を受け付け、前記指示に従い付与された前記ページ番号の表示を変更するページ番号詳細指定部と、を備える。【選択図】図１
2014092932.tif 000002
【特許請求の範囲】
【請求項１】
印刷ジョブに含まれる原稿に対してページ番号を付与するページ番号付与部と、
前記ページ番号が付与された前記原稿をページ毎に印刷前に表示部に表示するプレビュー制御部と、
前記原稿のページ単位で、前記ページ番号を付与するか否かの指示、及び前記ページ番号の位置の指示の少なくとも一方を受け付け、前記指示に従い付与された前記ページ番号の表示を変更するページ番号詳細指定部と、
を備えることを特徴とする情報処理装置。
【請求項２】
前記ページ番号詳細指定部における前記指示を受け付ける操作画面は、前記プレビュー制御部により表示される前記原稿のページと同時に前記表示部に表示される
ことを特徴とする請求項１に記載の情報処理装置。
【請求項３】
前記プレビュー制御部は、前記ページ番号詳細指定部により、前記原稿のページ単位の、前記ページ番号を付与するか否かの指示、及び前記ページ番号の位置の指示の少なくとも一方が受け付けられた場合、該当する前記原稿のページの表示を更新する
ことを特徴とする請求項１に記載の情報処理装置。
【請求項４】
印刷ジョブに含まれる原稿に対してページ番号を付与するページ番号付与ステップと、
前記ページ番号が付与された前記原稿をページ毎に印刷前に表示部に表示するプレビューステップと、
前記原稿のページ単位で、前記ページ番号を付与するか否かの指示、及び前記ページ番号の位置の指示の少なくとも一方を受け付け、前記指示に従い付与された前記ページ番号の表示を変更するページ番号詳細指定ステップと、
を含むことを特徴とする処理方法。
【請求項５】
コンピュータに、
印刷ジョブに含まれる原稿に対してページ番号を付与するページ番号付与ステップと、
前記ページ番号が付与された前記原稿をページ毎に印刷前に表示部に表示するプレビューステップと、
前記原稿のページ単位で、前記ページ番号を付与するか否かの指示、及び前記ページ番号の位置の指示の少なくとも一方を受け付け、前記指示に従い付与された前記ページ番号の表示を変更するページ番号詳細指定ステップと、
を実行させるためのプログラム。
【発明の詳細な説明】
【技術分野】
【０００１】
本発明は、情報処理装置、処理方法、及びプログラムに関する。
【背景技術】
【０００２】
従来、ＤＴＰ（Desk  Top  Publishing）分野で使われるページ編集システムでは、ページのヘッダやフッダにページ番号を自動付与するシステムが存在している。ページ番号付加の際に、ページに使用されている画像などのデータと重なりあっている場合に、ページ番号が見えにくくなる場合がある。例えば、特許文献１に記載の技術では、このような場合に、ページ番号が画像と重なるか否かを判定し、重なる場合には、画像などとはページ番号が重ならない位置を自動的に検出し、その位置にページ番号を印刷する方法が開示されている。
【発明の概要】
【発明が解決しようとする課題】
【０００３】
しかしながら、上記従来の方法にあっては、ページ番号が付与される位置が自動的に決定されるため、ユーザの意図しない位置にページ番号が付与されてしまう場合もあり、好ましくなかった。
【０００４】
本発明は、上記に鑑みてなされたものであって、ユーザの意図しないページ番号の付与を防止することのできる情報処理装置に関する。
【課題を解決するための手段】
【０００５】
上述した課題を解決し、目的を達成するために、本発明は、印刷ジョブに含まれる原稿に対してページ番号を付与するページ番号付与部と、前記ページ番号が付与された前記原稿をページ毎に印刷前に表示部に表示するプレビュー制御部と、前記原稿のページ単位で、前記ページ番号を付与するか否かの指示、及び前記ページ番号の位置の指示の少なくとも一方を受け付け、前記指示に従い付与された前記ページ番号の表示を変更するページ番号詳細指定部と、を備えることを特徴とする。
【発明の効果】
【０００６】
本発明によれば、ユーザの意図しないページ番号の付与を防止することができるという効果を奏する。
【図面の簡単な説明】
【０００７】
【図１】図１は、実施形態の情報処理装置の機能構成を示すブロック図である。
【図２】図２は、実施形態の情報処理装置の印刷の処理の流れを示す図である。
【図３】図３は、実施形態の情報処理装置のページ番号の指定画面を示す図である。
【図４】図４は、実施形態の情報処理装置のページ番号の指定画面を示す図である。
【発明を実施するための形態】
【０００８】
以下、図面を参照して本発明の情報処理装置を具体化した印刷システムの構成について説明する。図１は本システムの全体構成を示しており、ＰＣなどの情報端末１０にソフトウェアにより実現された印刷用アプリケーション１００がインストールされた構成であるが、機能の一部、又は全部がハードウェアにより実現されていてもよい。印刷用アプリケーション１００は、プリンタ２００との間のデータの通信や、印刷の制御を実行する。
【０００９】
印刷用アプリケーション１００は、印刷ジョブ入稿部１１０、インタフェース制御部１２０、及び印刷実行部１３０を備えている。印刷ジョブ入稿部１１０は、印刷対象とするジョブの入稿を受け付ける。インタフェース制御部１２０は、ページ番号付与部１２１、プレビュー制御部１２２、及びページ番号詳細指定部１２３を備えている。ページ番号付与部１２１は、印刷ジョブの原稿全体に対してページ番号を付加する／しないの指定を行うインタフェースを提供し、付加する設定がされた場合はページ番号を原稿の全ページの所定の位置に付与する。プレビュー制御部１２２は、印刷ジョブの原稿のプレビューを実際の印刷前にハードウェアであるＰＣの液晶画面などの表示部に表示させる制御を行う。プレビュー制御部１２２は、ページ番号付与部１２１においてページ番号を付加する設定にした場合には、印刷ジョブにページ番号を付加した状態でプレビューの制御を行う。ページ番号詳細指定部１２３は、ユーザがプレビューで印刷結果を確認しながらページ単位にページ番号を「印刷する」「印刷しない」の設定をしたり、印刷する場合に「ずらして印刷」する設定を指定したりするインタフェースを提供する。そして、ページ番号詳細指定部１２３は、設定に基づいて原稿のそれぞれのページに対してページ番号を付与する。
【００１０】
印刷実行部１３０は、インタフェース制御部１２０において、指定された設定に基づいて加工された画像をプリンタに送信し、印刷を実行する。印刷実行部１３０ではページ番号を印刷する／しないを決定した設定に従って画像を生成する。
【００１１】
次に、印刷用アプリケーション１００を通じてページ番号を指定する処理の流れを図２を用いて説明する。まず初めに、印刷ジョブ入稿部１１０を通じて、印刷ジョブの入稿が行われる（ステップＳ１）。次いで、ページ番号付与部１２１は、印刷ジョブで指定された原稿の全ページに対して、ページ番号を付加する／しないの設定の指定を行う（ステップＳ２）。プレビュー制御部１２２は、印刷ジョブで指定された原稿の全ページのプレビューを行う（ステップＳ３）。ページ番号付与部１２１でページ番号を付加する設定にした場合には、プレビュー制御部１２２は、印刷ジョブで指定するデータにページ番号を付加した状態でプレビューを行う。
【００１２】
ページ番号詳細指定部１２３は、ユーザがプレビューで印刷結果を確認している際に、各ページにページ番号を「印刷する」、又は「印刷しない」の設定の指定と、印刷する場合に、ページ番号の印刷位置をずらすかどうかを設定する「ずらして印刷」の指定とを受け付け、指定にしたがってページを更新する（ステップＳ４）。なお、ページ番号詳細指定部１２３において、印刷の設定が変更された場合は、プレビュー制御部１２２が変更後の設定に基づいて再度プレビュー画面が生成されるようにしてもよい。
【００１３】
そして、印刷実行部１３０は、決定されたページ番号を印刷する／しないの設定や、ずらして印刷の設定に従って、画像を生成し、プリンタ２００に印刷ジョブを画像データとともに送信する（ステップＳ５）。
【００１４】
次に、ページ番号を詳細に指定する際の画面の構成例を図３、４を用いて説明する。図３は３ページの原稿があり、ページ番号付与部１２１によりページ番号を付加するに設定されている場合の例である。図３に示されるように、プレビュー画面には、ページ毎のプレビューが表示されるプレビュー領域３１０と、ページ番号付加の設定を変更するための操作画面である設定領域３２０とが含まれている。設定領域３２０の、「ページ」の欄には指定対象となるページ数を表示する。「印刷」のチェックボックスでは、「ページ」で指定したページに対して、ページ番号を印刷する／しないを決定する設定を指定する。「ずらす方向」の欄では、「ページ」で指定したページにおけるページ番号をずらす位置を、Ｘ方向、及びＹ方向で「＋」「−」の数字形式で指定する。「ずらす方向」で指定する数値は、例えばページの左上を原点とし、Ｘ、Ｙ方向それぞれに対して「＋」「−」で指定するようにしてもよいし、デフォルトのページ番号の位置、例えばフッターの中央位置からの相対的な位置で指定してもよい。
【００１５】
図３の場合、２ページ目の原稿には画像が貼り付けられており、ページ番号が画像と重なった状態となっている。そこで、ユーザは設定領域３２０において、「ページ」欄に２を入力する。これにより、プレビュー領域３１０の２ページ目の原稿が選択された状態となる。そして、「ずらす方向」でＹ方向に＋１０ｍｍずらす指定を行い、更新ボタンを選択する。その結果、図４に示されるように、ページ番号が原稿の画像とは重ならない位置に修正された状態の原稿が表示される。ユーザはこの状態でよければ、そのまま印刷の指示を行う。
【００１６】
以上に示した印刷システム１にあっては、プレビュー画面でページ番号を付与する位置を確認しながら、ページ番号の位置を調整できるため、ユーザの意図しない位置にページ番号が付与されてしまうことを防止することができる。また、ページ番号と画像などが重なることも防ぐこともできる。
【００１７】
また、更新ボタンがおされなくても、指定するページを変更するのみで、プレビュー領域３１０で選択されるページを即座に変更することができ、操作性を向上することができる。
【００１８】
また、印刷用アプリケーション１００は、それぞれクライアント側の情報端末１０内にではなく、サーバ装置に設けられるような構成としてもよい。その場合、サーバ装置のハードウェア構成は、ＣＰＵなどの制御装置と、ＲＯＭ（Read  Only  Memory）やＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成を採ることができる。
【００１９】
本実施形態の印刷用アプリケーション１００ムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００２０】
本実施形態の印刷用アプリケーション１００は、インターネット等のネットワークに接続されたコンピュータ上に格納し、ネットワーク経由でダウンロードさせることにより提供するように構成しても良い。また、本実施形態の印刷用アプリケーション１００をインターネット等のネットワーク経由で提供または配布するように構成しても良い。
【００２１】
また、本実施形態の印刷用アプリケーション１００を、ＲＯＭ等に予め組み込んで提供するように構成してもよい。
【００２２】
本実施形態の印刷用アプリケーション１００は、は、上述した各部を含むモジュール構成となっており、実際のハードウェアとしてはＣＰＵ（プロセッサ）が上記記憶媒体から印刷用アプリケーション１００を読み出して実行することにより上記各部が主記憶装置上にロードされ、各部が主記憶装置上に生成されるようになっている。
【００２３】
本実施の形態の印刷用アプリケーション１００は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００２４】
なお、上記実施の形態では、本発明の情報処理装置を、コピー機能、プリンタ機能、スキャナ機能およびファクシミリ機能のうち少なくとも２つの機能を有する複合機に適用した例を挙げて説明するが、複写機、プリンタ、スキャナ装置、ファクシミリ装置等の画像形成装置であればいずれにも適用することができる。
【符号の説明】
【００２５】
１  印刷システム
１０  情報端末
１００  印刷用アプリケーション
１１０  印刷ジョブ入稿部
１２０  インタフェース制御部
１２１  ページ番号付与部
１２２  プレビュー制御部
１２３  ページ番号詳細指定部
１３０  印刷実行部
２００  プリンタ
３１０  プレビュー領域
３２０  設定領域
【先行技術文献】
【特許文献】
【００２６】
【特許文献１】特開２００７−６９５８６号公報
【図１】
2014092932.tif 000003
【図２】
2014092932.tif 000004
【図３】
2014092932.tif 000005
【図４】
2014092932.tif 000006